(57)【要約】【課題】物品をローラコンベヤにて搬送する途中で、確実に、その方向を変更し得る物品の方向変更装置を提供する。【解決手段】複数の搬送用ローラ２が回転自在に配置されてなるローラコンベヤ１を用いて物品Ｗの方向を９０°変更させる装置であって、ローラコンベヤ１の途中で且つ一側部寄り位置で、搬送用ローラ上を搬送される物品に当接し得る当接部材２１を配置するとともに、当接部材を含む所定範囲における搬送用ローラの軸心方向Ｃを、当接部材が配置された一端側よりも他端側が前方に位置するように傾斜させ、さらに傾斜して配置された搬送用傾斜ローラ群２Ａの前方に且つ搬送方向Ａと直交する幅方向Ｂで配置された搬送用直交ローラ群２Ｂの回転速度を、搬送用傾斜ローラ群のそれよりも遅くしたものである。【選択図】      図１
2005053662.tif 000002
【特許請求の範囲】
【請求項１】
複数の移送用ローラが回転自在に配置されてなるコンベヤ装置を用いて物品の方向を９０°または略９０°変更させる装置であって、
コンベヤ装置の途中で且つ一側部寄り位置で、移送用ローラ上を移送される物品に当接し得る当接部材を配置するとともに、
当該当接部材を含む所定範囲における移送用ローラの軸心方向を、当接部材が配置された一端側よりも他端側が前方に位置するように傾斜させたことを特徴とする物品の方向変更装置。
【請求項２】
当接部材を上方または下方から移送用ローラ上に配置可能に構成したことを特徴とする請求項１に記載の物品の方向変更装置。
【請求項３】
傾斜して配置された第１移送用ローラ群の下手側に且つ移送方向と直交する幅方向で配置された第２移送用ローラ群の回転速度を、上記第１移送用ローラ群のそれよりも遅くしたことを特徴とする請求項１または２に記載の物品の方向変更装置。
【請求項４】
第１移送用ローラ群と第２移送用ローラ群との三角状の隙間部分に配置される第１移送用ローラの長さを、当該三角状の隙間の幅に応じて、短くしたことを特徴とする請求項１乃至３のいずれか１項に記載の物品の方向変更装置。
【発明の詳細な説明】
【技術分野】
【０００１】
本発明は、ローラコンベヤ上を搬送される物品の方向を、例えば９０°変更し得る物品の方向変更装置に関するものである。
【背景技術】
【０００２】
物品の搬送ラインの途中で、例えば当該物品の倉庫などへの効率の良い積み込みを行うために、その方向の変更が要求される場合がある。例えば、物品が細長い長方形状である場合、通常、その長手方向が搬送方向に一致するように搬送が行われるが、倉庫への積み込み状態として横に長くなるように、すなわち物品が９０°回転させられて短手方向が搬送方向に一致するような変更が要求されることがある。
【０００３】
従来、このような要求に応じるコンベヤ装置としては、例えばローラコンベヤを用いたものがある。
このコンベヤ装置は、図８に示すように、搬送用ローラ５１が搬送方向に沿って多数並列に配置されるとともに、その途中における一側部に、物品Ｗに当接し得る当接部材５２が搬送面から出退自在に設けられたものである。
【０００４】
すなわち、搬送用ローラ５１にて搬送される物品Ｗの幅方向での一端側に当接部材５２を当接させるとともに他端側をそのまま前方に移動させることにより、当該物品Ｗを９０°の角度でもって回転させてその向きを変えていた（例えば、特許文献１参照）。
【特許文献１】特開平５−３１０３２０号（図２参照）
【発明の開示】
【発明が解決しようとする課題】
【０００５】
上記コンベヤ装置の構成によると、単に、当接部材５１を搬送面から上方に突出させて、搬送されてくる物品Ｗの一端側の肩部を停止させるとともに他端側を引き続き移動させることにより、当該物品Ｗを回転させるようにしているだけであり、物品Ｗを確実に９０°でもって回転させることができないという問題があった。具体的にいうと、長手方向で搬送されてきた長方形の物品を、短手方向にその向きを変更する場合に、物品の向きが不安定となり、確実に変えることができなかった。
【０００６】
そこで、本発明は、物品をローラ式のコンベヤ装置にて移送する途中で、確実に、その方向を変更し得る物品の方向変更装置を提供することを目的とする。
【課題を解決するための手段】
【０００７】
上記課題を解決するために、本発明の請求項１に係る物品の方向変更装置は、複数の移送用ローラが回転自在に配置されてなるコンベヤ装置を用いて物品の方向を９０°または略９０°変更させる装置であって、
コンベヤ装置の途中で且つ一側部寄り位置で、移送用ローラ上を移送される物品に当接し得る当接部材を配置するとともに、
当該当接部材を含む所定範囲における移送用ローラの軸心方向を、当接部材が配置された一端側よりも他端側が前方に位置するように傾斜させたものである。
【０００８】
また、請求項２に係る物品の方向変更装置は、請求項１に記載の方向変更装置における当接部材を上方から、または下方から移送用ローラ上に配置可能に構成したものである。
また、請求項３に係る物品の方向変更装置は、請求項１または２に記載の方向変更装置における傾斜して配置された第１移送用ローラ群の前方に且つ移送方向と直交する幅方向で配置された第２移送用ローラ群の回転速度を、上記第１移送用ローラ群のそれよりも遅くしたものである。
【０００９】
さらに、請求項４に係る物品の方向変更装置は、請求項１乃至３のいずれか１項に記載の方向変更装置における第１移送用ローラ群と第２移送用ローラ群との三角状の隙間部分に配置される第１移送用ローラの長さを、当該三角状の隙間の幅に応じて、短くしたものである。
【発明の効果】
【００１０】
上記請求項１または２に記載の方向変更装置の構成によると、ローラ式のコンベヤ装置を用いて、搬送される物品の方向を、当接部材により、物品の一端側を中心にして他端側を前方に押しやって水平面内で９０°または略９０°変更させる際に、その搬送用ローラを、その回転外周側が前方に位置するように傾斜させたので、物品の方向を確実にまたは略確実に変更することができる。
【００１１】
また、請求項３に記載の方向変更装置の構成によると、傾斜して配置された第１移送用ローラ群の下手側に設けられた直交方向の第２移送用ローラ群の回転速度を遅くしたので、当接部材により回転された物品の回転角度が９０°よりも小さい場合、または９０°より大きい場合でも、回転された後の物品の移送速度が遅いため、回転が遅い部分にあっては後方から前方に押しやる力が作用し、また回転が早い部分にあっては移動が遅くされ、したがってより一層、確実に、物品を所定方向に変更することができる。
【発明を実施するための最良の形態】
【００１２】
以下、本発明に係る物品の方向変更装置の実施の形態について説明する。
［実施の形態］
本実施の形態に係る物品の方向変更装置を、図１〜図７に基づき説明する。
【００１３】
この物品の方向変更装置は、物品をローラコンベヤにて搬送（移送）する途中にて、物品の方向を、９０°（または、略９０°）変更するためのものである。
この物品としては、例えば平面視が長方形状のもので、その搬送時においては、長手方向が搬送方向と一致するようにされる。なお、物品の短い方向を短手方向という。
【００１４】
まず、物品の方向を変更するために使用されるローラコンベヤ（コンベヤ装置）について説明する。
図１および図２に示すように、このローラコンベヤ１は多数の搬送用ローラ（移送用ローラ）２が並置されたもので、その上手側部分（搬送方向後方側）については、ローラ軸心Ｃが搬送方向Ａと直交する方向、すなわちコンベヤ自身の幅方向Ｂに対して所定角度θ（例えば、１０°程度）でもって傾斜（水平面内での傾斜）する傾斜コンベヤ部１Ａにされるとともに、下手側部分（搬送方向前方側）については、ローラ軸心Ｃが搬送方向Ａと直交する直交コンベヤ部１Ｂにされている。
【００１５】
上記ローラコンベヤ１における傾斜コンベヤ部１Ａは、支持フレーム（図示せず）の左右位置で立設された左右一対の側板１１と、これら両側板１１，１１間に搬送方向Ａと直交する幅方向Ｂに対して所定角度θでもって傾斜され且つ搬送方向に沿って所定間隔おきに多数配置されるとともに両側板１１，１１に軸受（図示せず）を介して回転自在にそれぞれ支持された搬送用傾斜ローラ（第１移送用ローラ）２Ａと、これら各搬送用傾斜ローラ２Ａに対応して例えばその一端側に設けられるとともに各搬送用傾斜ローラ２Ａの下面に接触された駆動輪（図示しないが、例えばフリクションローラが用いられる）および当該駆動輪の回転軸部に連結された従動用スプロケット（図示せず）と、一方の側板１１（１１Ａ）側に配置された複数のガイド用スプロケット１２に無端状に巻装された駆動用チェーン１３と、支持フレーム側に設けられて上記駆動用チェーン１３が巻装された駆動用スプロケット１４を回転させる減速機付き電動機（図示せず）とから構成されている。ところで、傾斜コンベヤ部１Ａの前後端部には、三角形状の隙間部分Ｓが生じることになるが、これら各隙間部分Ｓには、物品の非支持部を極力無くすように、長さが短くされた２本の搬送用傾斜ローラ２Ａ′および小径の搬送用傾斜ローラ２Ａ″がそれぞれ配置されている。この内、搬送用傾斜ローラ２Ａ′についての回転は、正規の長さの搬送用傾斜ローラ２Ａとの間、および搬送用傾斜ローラ２Ａ′，２Ａ′同士間にそれぞれ巻装されたベルト１５を介して、搬送用傾斜ローラ２Ａからの駆動力にて回転される。なお、小径の搬送用傾斜ローラ２Ａ″については、単に、回転自在に支持されているだけである。
【００１６】
したがって、電動機により駆動用スプロケット１４および駆動用チェーン１３を駆動すると、従動用スプロケットを介して駆動輪が回転され、この駆動輪に接触している（摺接している）搬送用傾斜ローラ２Ａが回転されるとともに、隙間部分Ｓに配置された搬送用傾斜ローラ２Ａ′が回転される。
【００１７】
さらに、この傾斜コンベヤ部１Ａの下手側で且つ一方の側板１１（１１Ａ）には、当接部材（方向変更部材ともいう）２１が搬送用傾斜ローラ２Ａの上方位置に設けられている。搬送用傾斜ローラ２Ａから見ると、そのローラ軸心（軸心方向）Ｃが、当接部材２１が配置された一端側よりも他端側が前方に位置するように傾斜させられている。
【００１８】
この当接部材２１は、図３および図４に示すように、平面視が矩形状にされるとともに一側部に側板１１への取付板部２１ａが設けられた上板部２１ｂと、この上板部２１ｂの前後端から下手側（前側）および上手側（後側）に折曲状に突設された前部傾斜板部２１ｃおよび後部傾斜板部２１ｄと、これら両傾斜板部２１ｃ，２１ｄ間で上板部２１ｂから垂下された側板部２１ｅとから構成されている。なお、当接部材２１の側板１１への取付けは、例えばボルト２２およびナット２３により行われている。
【００１９】
したがって、当接部材２１が一方の側板１１（１１Ａ）から搬送用傾斜ローラ２Ａ上に設けられた状態で物品Ｗが搬送されてくると、まず当接部材２１にその一端側の肩部が当接するとともに、他端側がその搬送方向で且つ斜め方向で一端側に（当接部材側に且つ前方に）移動されるため、当接部材２１を中心にして、図１の仮想線（イ）〜（ニ）にて示すように、物品Ｗが略９０°でもって回転されることになる。
【００２０】
次に、上記ローラコンベヤ１における直交コンベヤ部１Ｂについて説明すると、上記傾斜コンベヤ部１Ａにおいては、ローラ軸心Ｃを傾斜させたのに対し、この直交コンベヤ部１Ｂでは、通常のコンベヤのように、ローラ軸心Ｃ′を搬送方向Ａと直交する幅方向Ｂに配置したものであり、基本的には、搬送用ローラを傾斜させた以外は、傾斜コンベヤ部１Ａにて説明したものと同一の構成である。
【００２１】
すなわち、この直交コンベヤ部１Ｂは、支持フレーム（図示せず）の左右位置で立設された左右一対の側板３１と、これら両側板３１，３１間に搬送方向Ａと直交する幅方向Ｂと平行で且つ所定間隔おきに多数配置されるとともに両側板３１，３１に軸受（図示せず）を介して回転自在にそれぞれ支持された搬送用直交ローラ（第２移送用ローラ）２Ｂと、これら各搬送用直交ローラ２Ｂに対応してその一端側に設けられるとともに各搬送用直交ローラ２Ｂの下面に接触された駆動輪（図示しないが、例えばフリクションローラが用いられる）および当該駆動輪の回転軸部に連結された従動用スプロケット（図示せず）と、同じく一方の側板１１側に配置された複数のガイド用スプロケット（図示せず）に無端状に巻装された駆動用チェーン（図示せず）と、支持フレーム側に設けられて上記駆動用チェーン（図示せず）が巻装された駆動用スプロケット（図示せず）を回転させる減速機付き電動機（図示せず）とから構成されている。
【００２２】
また、この直交コンベヤ部１Ｂにおいては、上記傾斜コンベヤ部１Ａにおける搬送用傾斜ローラ２Ａの回転速度よりも、搬送用直交ローラ２Ｂの回転速度が遅くなるように、その電動機が制御される。
【００２３】
さらに、上記両コンベヤ部１Ａ，１Ｂの一側部側には、すなわち一方の側板１１（１１Ａ），３１（３１Ａ）側には、所定間隔おきに設けられた取付部材４１を介して、その全長に亘って、搬送される物品Ｗを案内するための断面溝型状のガイド部材４２が設けられている。なお、このガイド部材４２は、図３および図５に示すように、例えば取付部材４１に水平方向でその出退位置がナット４３を介して調節可能にされた出退調節用ボルト４４の先端に取り付けられている。
【００２４】
次に、物品の方向変更動作について説明する。
上記構成に係るローラコンベヤ１の傾斜コンベヤ部１Ａにおいては、物品の搬送に適した搬送速度となるように電動機が駆動されて通常の搬送が行われ、一方、直交コンベヤ部１Ｂにおいては、傾斜コンベヤ部１Ａでの搬送速度よりも遅い速度でもって搬送が行われる。
【００２５】
この状態で、物品Ｗが傾斜コンベヤ部１Ａに搬送されてくると、まず、物品が搬送用傾斜ローラ２Ａ上に移動し、ローラ軸心Ｃの傾斜により、物品が一側部側に徐々に案内（幅寄せ）されるとともに最終的にはガイド部材４２に接触して案内され、そして一側部に配置された当接部材２１に当接することになる。
【００２６】
図６に示すように、物品Ｗが当接部材２１に当接すると、その部分、すなわち一端側の肩部はその位置で停止するが、（ホ）〜（ヘ）に示すように、他端側はそのまま搬送用傾斜ローラ２Ａにより、一側部寄りでかつ前方に移動されて、その肩部を中心にして９０°（または略９０°）回転しその方向が変更される。
【００２７】
そして、回転された物品は、直交コンベヤ部１Ｂにおける搬送用直交ローラ２Ｂ上に移動することになるが、この搬送用直交ローラ（第２移送用ローラ群）２Ｂの回転速度が搬送用傾斜ローラ（第１移送用ローラ群）２Ａよりも遅くされているため、回転した物品が、９０°ではなく、例えば９０°より小さい回転角度でもって回転した場合でも、回転が早く行われた一端側の移動が遅くされるとともに、回転が遅れている他端側部分が上手側から押されるため、確実に、物品Ｗの短辺が搬送方向と一致するように、その方向が変更される。
【００２８】
なお、図７の（ト）〜（リ）に示すように、回転した物品Ｗが９０°よりも大きい回転角度でもって回転した場合でも、回転が早く行われた他端側の移動が遅くされるとともに、回転が遅れている一端側部分が、上手側から押されることになり、やはり、物品の長辺が搬送方向と直交する方向となるように、その姿勢が修正される。
【００２９】
このように、ローラコンベヤ１を用いて、搬送される物品の方向を、当接部材２１により、物品の一端側を中心にして他端側を前方に押しやって水平面内で９０°（または略９０°）変更（回転）させる際に、その搬送用ローラ２を、その回転外周側が前方に位置するように傾斜させたので、物品の方向を確実に変更させることができ、さらに傾斜コンベヤ部１Ａの下手側に設けられた直交コンベヤ部１Ｂにおける搬送用直交ローラ２Ｂの回転速度を遅くしたので、当接部材２１により回転された物品の回転角度が９０°よりも小さい場合、または９０°より大きい場合でも、回転された後の物品の搬送速度が遅くされているため、回転が遅い部分にあっては後方から前方に押しやる力が作用し、また回転が早い部分にあっては移動が遅くされ、したがってより一層、確実に、物品を所定方向に変更させることができる。
【００３０】
ところで、上記実施の形態においては、傾斜コンベヤ部１Ａに設けられる当接部材２１を、側板１１に取り付けるようにしたが、例えばこの当接部材を、搬送面の上方から若しくは下方から昇降させることにより、または側方から若しくは斜め上方向から移動させることにより、物品の方向を変更させる必要があるときにだけ、搬送面上に配置させるようにしてもよい。なお、当接部材が配置されない場合、傾斜コンベヤ部１Ａは、物品の幅寄せコンベヤとして機能することになる。
【図面の簡単な説明】
【００３１】
【図１】本発明の実施の形態に係る物品の方向変更装置の概略構成を示す平面図である。
【図２】同方向変更装置の概略構成を示す側面図である。
【図３】図２のＤ−Ｄ矢視図である。
【図４】同方向変更装置における当接部材の斜視図である。
【図５】図２のＥ−Ｅ矢視図である。
【図６】同方向変更装置における物品の方向変更動作を説明する平面図である。
【図７】同方向変更装置における物品の方向変更動作を説明する平面図である。
【図８】従来例における物品の方向変更動作を説明する平面図である。
【符号の説明】
【００３２】
１      ローラコンベヤ
１Ａ    傾斜コンベヤ部
１Ｂ    直交コンベヤ部
２      搬送用ローラ
２Ａ    搬送用傾斜ローラ
２Ｂ    搬送用直交ローラ
１１      側板
２１      当接部材
３１      側板
【図１】
2005053662.tif 000003
【図２】
2005053662.tif 000004
【図３】
2005053662.tif 000005
【図４】
2005053662.tif 000006
【図５】
2005053662.tif 000007
【図６】
2005053662.tif 000008
【図７】
2005053662.tif 000009
【図８】
2005053662.tif 000010